(57)【要約】【課題】情報処理装置とＦＡＸ装置とが接続されたシステムにおいて、ＦＡＸ装置が外部のＦＡＸ装置にＦＡＸデータを送信し始める時を早めること。【解決手段】情報処理装置に、送信対象の画像に基づいてファクシミリデータを生成し、生成したファクシミリデータをファクシミリ装置に送信する生成送信処理（生成送信プロセス５１）と、ファクシミリデータの送信設定をユーザから受け付ける設定受付処理（設定受付プロセス５２）と、設定受付処理によって受け付けられた送信設定に基づく送信設定データをファクシミリ装置に送信する送信設定データ送信処理（送信設定データ送信プロセス５３）と、を実行させ、生成送信処理（生成送信プロセス５１）及び設定受付処理（設定受付プロセス５２）は、同時に処理を開始するか、又は、一方の処理の実行中に他方の処理を開始する。【選択図】図４
2013012844.tif 000002
【特許請求の範囲】
【請求項１】
ファクシミリ装置と通信可能に接続されている情報処理装置に、
送信対象の画像に基づいてファクシミリデータを生成し、生成した前記ファクシミリデータを前記ファクシミリ装置に送信する生成送信処理と、
前記ファクシミリデータの送信設定をユーザから受け付ける設定受付処理と、
前記設定受付処理によって受け付けられた前記送信設定に基づく送信設定データを前記ファクシミリ装置に送信する送信設定データ送信処理と、
を実行させ、
前記生成送信処理及び前記設定受付処理は、同時に処理を開始するか、又は、一方の処理の実行中に他方の処理を開始するファクシミリ制御プログラム。
【請求項２】
請求項１に記載のファクシミリ制御プログラムであって、
前記設定受付処理は、前記生成送信処理による前記ファクシミリデータの送信が完了する前に前記生成送信処理から起動されることによって処理を開始するファクシミリ制御プログラム。
【請求項３】
請求項２に記載のファクシミリ制御プログラムであって、
前記生成送信処理は、前記ファクシミリデータの生成を開始する前に前記設定受付処理を開始させる、ファクシミリ制御プログラム。
【請求項４】
請求項２又は請求項３に記載のファクシミリ制御プログラムであって、
当該ファクシミリ制御プログラムは、前記生成送信処理を実行する生成送信プログラムと、前記設定受付処理を実行する設定受付プログラムとを含む複数のプログラムで構成されるものであり、
前記生成送信プログラムは、前記設定受付プログラムを起動することにより、前記設定受付処理を開始させる、ファクシミリ制御プログラム。
【請求項５】
請求項１乃至請求項４のいずれか一項に記載のファクシミリ制御プログラムであって、
前記送信設定は前記ファクシミリデータの宛先であり、
前記送信設定データは前記宛先を示す宛先データである、ファクシミリ制御プログラム。
【請求項６】
請求項５に記載のファクシミリ制御プログラムであって、
前記設定受付処理において、前記ファクシミリデータに対して複数の宛先の設定を受け付ける、ファクシミリ制御プログラム。
【請求項７】
請求項１乃至請求項４のいずれか一項に記載のファクシミリ制御プログラムであって、
前記送信設定はファクシミリデータに添付する送付書の生成に用いられる情報であり、
前記送信設定データは、送付書の生成に用いられる前記情報、又は、前記情報に基づいて生成された送付書データである、ファクシミリ制御プログラム。
【請求項８】
請求項７に記載のファクシミリ制御プログラムであって、
前記送付書には、前記ファクシミリデータの全ページ数が表記される、ファクシミリ制御プログラム。
【請求項９】
請求項１乃至請求項８のいずれか一項に記載のファクシミリ制御プログラムであって、
前記生成送信処理において、前記ファクシミリデータと当該ファクシミリデータを一意に識別する識別情報とを前記ファクシミリ装置に送信し、
前記送信設定データ送信処理において、前記送信設定データと前記識別情報とを前記ファクシミリ装置に送信する、ファクシミリ制御プログラム。
【請求項１０】
請求項１乃至請求項９のいずれか一項に記載のファクシミリ制御プログラムであって、
前記生成送信処理による前記ファクシミリデータの生成が開始された後に、ファクシミリ送信の中止指示を受け付ける中止受付処理と、
前記中止受付処理によって前記中止指示が受け付けられると、前記ファクシミリ装置にファクシミリ送信の中止命令を送信する中止処理と、
を前記情報処理装置に実行させるファクシミリ制御プログラム。
【請求項１１】
ファクシミリ装置と通信可能に接続されている情報処理装置であって、
ファクシミリデータの送信設定をユーザから受け付ける設定受付部と、
送信対象の画像に基づいてファクシミリデータを生成し、生成した前記ファクシミリデータを前記ファクシミリ装置に送信する生成送信部と、
前記設定受付部によって受け付けられた前記送信設定に基づく送信設定データを前記ファクシミリ装置に送信する送信設定データ送信部と、
を備え、
前記生成送信部及び前記設定受付部は、同時に動作を開始するか、又は、一方の動作中に他方の動作を開始する情報処理装置。
【請求項１２】
ファクシミリ装置と情報処理装置とからなるファクシミリシステムであって、
前記情報処理装置は、
送信対象の画像に基づいてファクシミリデータを生成し、生成した前記ファクシミリデータを前記ファクシミリ装置に送信する生成送信部と、
前記ファクシミリデータの送信設定をユーザから受け付ける設定受付部と、
前記設定受付部によって受け付けられた前記送信設定に基づく送信設定データを前記ファクシミリ装置に送信する送信設定データ送信部と、
を備え、
前記生成送信部及び前記設定受付部は、同時に動作を開始するか、又は、一方の動作中に他方の動作を開始するものであり、
前記ファクシミリ装置は、
前記情報処理装置から前記ファクシミリデータ、及び、前記送信設定データを受信する受信部と、
前記受信部により受信した前記ファクシミリデータを、前記受信部により受信した前記送信設定データを用いてファクシミリ送信する送信部と、
を備えるファクシミリシステム。
【請求項１３】
請求項１２に記載のファクシミリシステムであって、
前記情報処理装置は、
前記生成送信部による前記ファクシミリデータの生成が開始された後に、ファクシミリ送信の中止指示を受け付ける中止受付部と、
前記中止受付部によって前記中止指示が受け付けられると、前記ファクシミリ装置にファクシミリ送信の中止命令を送信する中止部とを備え、
前記ファクシミリ装置は、
前記中止命令を受信すると、前記受信部によって受信済みの前記ファクシミリデータをメモリから削除する削除部を備えるファクシミリシステム。
【請求項１４】
請求項１２又は請求項１３に記載のファクシミリシステムであって、
前記受信部は、前記情報処理装置から前記ファクシミリデータを一意に識別する識別情報及び前記ファクシミリデータ、ならびに、前記識別情報及び前記送信設定データを受信し、
前記送信部は、前記識別情報に基づいて対応する前記ファクシミリデータと前記送信設定データとを特定し、前記ファクシミリデータを、前記送信設定データを用いてファクシミリ送信する、ファクシミリシステム。
【発明の詳細な説明】
【技術分野】
【０００１】
本発明は、情報処理装置からファクシミリ装置にファクシミリデータを送信する技術に関する。
【背景技術】
【０００２】
情報処理装置（ＰＣ）とファクシミリ（ＦＡＸ）装置とが接続されたＰＣ−ＦＡＸシステムにおいて、情報処理装置によって表示される画面でユーザが送信先の電話番号やカバーページに記載すべきメモの内容などを入力し、その入力が完了すると情報処理装置がＦＡＸデータを生成してＦＡＸ装置に送信するものが知られている（例えば、特許文献１参照）。
【先行技術文献】
【特許文献】
【０００３】
【特許文献１】特許第３３４２３８６号明細書（段落０１５９−０１６０）
【発明の概要】
【発明が解決しようとする課題】
【０００４】
しかしながら、上述した従来の技術によると、送信先の電話番号やメモの内容などはＦＡＸの本文に対応するＦＡＸデータを生成するのに直接関係のない入力事項であるにもかかわらず、それらの入力が全て終わってからＦＡＸデータの生成を開始していた。その結果、情報処理装置からＦＡＸデータを受信したＦＡＸ装置がそのＦＡＸデータを外部のＦＡＸ装置に送信し始める時が遅くなるという問題があった。
本明細書では、情報処理装置とＦＡＸ装置とが接続されたシステムにおいて、ＦＡＸ装置が外部のＦＡＸ装置にＦＡＸデータを送信し始める時を早める技術を開示する。
【課題を解決するための手段】
【０００５】
本明細書によって開示されるファクシミリ制御プログラムは、ファクシミリ装置と通信可能に接続されている情報処理装置に、送信対象の画像に基づいてファクシミリデータを生成し、生成した前記ファクシミリデータを前記ファクシミリ装置に送信する生成送信処理と、前記ファクシミリデータの送信設定をユーザから受け付ける設定受付処理と、前記設定受付処理によって受け付けられた前記送信設定に基づく送信設定データを前記ファクシミリ装置に送信する送信設定データ送信処理と、を実行させ、前記生成送信処理及び前記設定受付処理は、同時に処理を開始するか、又は、一方の処理の実行中に他方の処理を開始する。
【０００６】
また、前記設定受付処理は、前記生成送信処理による前記ファクシミリデータの送信が完了する前に前記生成送信処理から起動されることによって処理を開始してもよい。
【０００７】
また、前記生成送信処理は、前記ファクシミリデータの生成を開始する前に前記設定受付処理を開始させてもよい。
また、当該ファクシミリ制御プログラムは、前記生成送信処理を実行する生成送信プログラムと、前記設定受付処理を実行する設定受付プログラムとを含む複数のプログラムで構成されるものであり、前記生成送信プログラムは、前記設定受付プログラムを起動することにより、前記設定受付処理を開始させてもよい。
【０００８】
また、前記送信設定は前記ファクシミリデータの宛先であり、前記送信設定データは前記宛先を示す宛先データであってもよい。
【０００９】
また、上記ファクシミリ制御プログラムは、前記設定受付処理において、前記ファクシミリデータに対して複数の宛先の設定を受け付けてもよい。
また、前記送信設定はファクシミリデータに添付する送付書の生成に用いられる情報であり、前記送信設定データは、送付書の生成に用いられる前記情報、又は、前記情報に基づいて生成された送付書データであってもよい。
【００１０】
また、前記送付書には、前記ファクシミリデータの全ページ数が表記されてもよい。
【００１１】
また、上記ファクシミリ制御プログラムは、前記生成送信処理において、前記ファクシミリデータと当該ファクシミリデータを一意に識別する識別情報とを前記ファクシミリ装置に送信し、前記送信設定データ送信処理において、前記送信設定データと前記識別情報とを前記ファクシミリ装置に送信してもよい。
【００１２】
また、上記ファクシミリ制御プログラムは、前記生成送信処理による前記ファクシミリデータの生成が開始された後に、ファクシミリ送信の中止指示を受け付ける中止受付処理と、前記中止受付処理によって前記中止指示が受け付けられると、前記ファクシミリ装置にファクシミリ送信の中止命令を送信する中止処理と、を前記情報処理装置に実行させてもよい。
【００１３】
本明細書によって開示される情報処理装置は、ファクシミリ装置と通信可能に接続されている情報処理装置であって、ファクシミリデータの送信設定をユーザから受け付ける設定受付部と、送信対象の画像に基づいてファクシミリデータを生成し、生成した前記ファクシミリデータを前記ファクシミリ装置に送信する生成送信部と、前記設定受付部によって受け付けられた前記送信設定に基づく送信設定データを前記ファクシミリ装置に送信する送信設定データ送信部と、を備え、前記生成送信部及び前記設定受付部は、同時に動作を開始するか、又は、一方の動作中に他方の動作を開始する。
【００１４】
本明細書によって開示されるファクシミリシステムは、ファクシミリ装置と情報処理装置とからなるファクシミリシステムであって、前記情報処理装置は、送信対象の画像に基づいてファクシミリデータを生成し、生成した前記ファクシミリデータを前記ファクシミリ装置に送信する生成送信部と、前記ファクシミリデータの送信設定をユーザから受け付ける設定受付部と、前記設定受付部によって受け付けられた前記送信設定に基づく送信設定データを前記ファクシミリ装置に送信する送信設定データ送信部と、を備え、前記生成送信部及び前記設定受付部は、同時に動作を開始するか、又は、一方の動作中に他方の動作を開始するものであり、前記ファクシミリ装置は、前記情報処理装置から前記ファクシミリデータ、及び、前記送信設定データを受信する受信部と、前記受信部により受信した前記ファクシミリデータを、前記受信部により受信した前記送信設定データを用いてファクシミリ送信する送信部と、を備える。
【００１５】
また、前記情報処理装置は、前記生成送信部による前記ファクシミリデータの生成が開始された後に、ファクシミリ送信の中止指示を受け付ける中止受付部と、前記中止受付部によって前記中止指示が受け付けられると、前記ファクシミリ装置にファクシミリ送信の中止命令を送信する中止部とを備え、前記ファクシミリ装置は、前記中止命令を受信すると、前記受信部によって受信済みの前記ファクシミリデータをメモリから削除する削除部を備えてもよい。
【００１６】
また、前記受信部は、前記情報処理装置から前記ファクシミリデータを一意に識別する識別情報及び前記ファクシミリデータ、ならびに、前記識別情報及び前記送信設定データを受信し、前記送信部は、前記識別情報に基づいて対応する前記ファクシミリデータと前記送信設定データとを特定し、前記ファクシミリデータを、前記送信設定データを用いてファクシミリ送信してもよい。
【００１７】
なお、この発明は、ファクシミリ制御方法、ファクシミリ制御プログラムを記録した記録媒体等の種々の態様で実現することができる。
また、本発明に備わる各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【発明の効果】
【００１８】
上記のファクシミリ制御プログラム、情報処理装置、及び、ファクシミリシステムによると、ファクシミリ装置が外部のファクシミリ装置にファクシミリデータを送信し始める時を早めることができる。
【図面の簡単な説明】
【００１９】
【図１】実施形態１に係るＰＣ−ＦＡＸシステムの構成を示す模式図。
【図２】ＰＣの電気的構成を簡略化して示すブロック図。
【図３】ＦＡＸ装置の電気的構成を簡略化して示すブロック図。
【図４】ＰＣ−ＦＡＸシステムのデータフローダイアグラム。
【図５】送信設定画面の一例を示す模式図。
【図６】アドレス帳画面の一例を示す模式図。
【図７】送付書設定画面の一例を示す模式図。
【図８】送付書プレビュー画面の一例を示す模式図。
【図９】マージプロセスによるマージを概念的に説明するための模式図。
【図１０】ＦＡＸドライバプログラムによる処理を示すフローチャート。
【図１１】送信設定プログラムによる処理を示すフローチャート。
【図１２】ＦＡＸ装置側制御プログラムによる処理を示すフローチャート。
【発明を実施するための形態】
【００２０】
＜実施形態１＞
本発明の実施形態１を図１ないし図１２によって説明する。
（１）ＰＣ−ＦＡＸシステムの構成
図１は、実施形態１に係るファクシミリ（ＦＡＸ）システムとしてのＰＣ−ＦＡＸシステム１の構成を示す模式図である。ＰＣ−ＦＡＸシステム１は、情報処理装置としてのパーソナルコンピュータ（ＰＣ）２とファクシミリ（ＦＡＸ）装置３とを備えており、これらはＬＡＮ（Ｌｏｃａｌ  Ａｒｉａ  Ｎｅｔｗｏｒｋ）やインターネットなどの有線又は無線通信ネットワーク４を介して通信可能に接続されている。また、ＦＡＸ装置３は公衆回線６を介して外部のＦＡＸ装置７と通信可能に接続されている。
【００２１】
ＰＣ−ＦＡＸシステム１は、ＰＣ２においてユーザからＦＡＸ送信のための送信設定を受け付け、受け付けた送信設定に基づく送信設定データと後述する本文データとをＦＡＸ装置３に送信し、ＦＡＸ装置３が送信設定データを用いて本文データを外部のＦＡＸ装置７にＦＡＸ送信するシステムである。
【００２２】
（１−１）ＰＣの構成
図２は、ＰＣ２の電気的構成を簡略化して示すブロック図である。ＰＣ２は、ＣＰＵ２１、ＲＯＭ２２、ＲＡＭ２３、表示部２４、操作部２５、ネットワークインタフェース（ネットワークＩ／Ｆ）２６、及び、記憶部２７を備えて構成されている。
【００２３】
ＣＰＵ２１は、ＲＯＭ２２や記憶部２７に記憶されている各種のプログラムを実行することによってＰＣ２の各部を制御する。ＲＯＭ２２にはＣＰＵ２１によって実行される各種のプログラムやデータなどが記憶されている。ＲＡＭ２３はＣＰＵ２１が各種の処理を実行するための主記憶装置として用いられる。
【００２４】
表示部２４は、液晶ディスプレイなどの表示装置、表示装置を駆動する駆動回路などを備えて構成されている。
操作部２５は、マウスやキーボードなどの入力装置、これらの入力装置が接続される接続インタフェースなどを備えて構成されている。
ネットワークインタフェース２６は、通信ネットワーク４を介してＦＡＸ装置３などの外部の装置と通信可能に接続されている。
【００２５】
記憶部２７は、ハードディスクやフラッシュメモリなどの不揮発性のメモリを用いて各種のプログラムやデータを記憶する装置である。記憶部２７には、オペレーティングシステム（ＯＳ）２８、ＦＡＸアプリケーションプログラム(ＦＡＸアプリケーション)２９、ＰＣ側制御プログラム３０、各種のデータなどが記憶される。ＯＳ２８は複数のプログラムを並行して実行可能なマルチタスクＯＳである。
【００２６】
ＰＣ側制御プログラム３０はファクシミリ制御プログラムの一例である。ＣＰＵ２１と操作部２５とは設定受付部の一例である。また、ＣＰＵ２１とネットワークインタフェース２６とは生成送信部、及び、送信設定データ送信部の一例である。
【００２７】
（１−２）ＦＡＸ装置の電気的構成
図３は、ＦＡＸ装置３の電気的構成を簡略化して示すブロック図である。ＦＡＸ装置３は、制御部３１、スキャナ部３２、印刷部３３、操作部３４、ＦＡＸ部３５、通信インタフェース（通信Ｉ／Ｆ）部３６、及び、記憶部３７を備えている。
【００２８】
制御部３１は、ＣＰＵ３１ａ、ＲＯＭ３１ｂ、ＲＡＭ３１ｃを有する。ＣＰＵ３１ａはＲＯＭ３１ｂや記憶部３７に記憶されているプログラムを実行することによってＦＡＸ装置３の各部を制御する。ＲＯＭ３１ｂにはＦＡＸ装置３の動作を制御するためのＦＡＸ装置側制御プログラム４０や各種のデータが記録されている。ＲＡＭ３１ｃはＣＰＵ３１ａが各種の処理を実行するための主記憶装置として用いられる。
【００２９】
スキャナ部３２は、原稿を照射する光源やリニアイメージセンサなどを有し、原稿を光学的に読み取って画像を生成する。スキャナ部３２によって生成された画像はＦＡＸ部３５によって外部のＦＡＸ装置７にＦＡＸ送信される。
印刷部３３は、ＦＡＸ部３５によって外部のＦＡＸ装置７から受信されたＦＡＸデータが表す画像を電子写真方式やインクジェット方式などで印刷用紙に印刷する。
【００３０】
操作部３４は、液晶ディスプレイなどの表示装置や各種のボタンなどを備えて構成されている。
ＦＡＸ部３５は、ＮＣＵ（Ｎｅｔｗｏｒｋ  Ｃｏｎｔｒｏｌ  Ｕｎｉｔ）、モデム、これらを制御するＡＳＩＣなどを備えて構成されており、公衆回線６を介して外部のＦＡＸ装置７との間で所定のＦＡＸ通信プロトコルに従ってＦＡＸデータを送受信する。
【００３１】
通信インタフェース部３６は、通信ネットワーク４を介してＰＣ２などの外部の装置と通信可能に接続されている。
記憶部３７には、例えばＮＶＲＡＭやフラッシュＲＯＭが含まれる。記憶部３７には、ユーザにより登録された電話番号、ＰＣ２から受信した本文データや送信設定データなどが記憶される。
【００３２】
制御部３１と通信インタフェース部３６とは受信部の一例である。制御部３１とＦＡＸ部３５とは送信部の一例である。記憶部３７はメモリの一例である。また、制御部３１は削除部の一例である。
【００３３】
（２）ＰＣ−ＦＡＸシステムのデータフロー
図４は、ＰＣ−ＦＡＸシステム１のデータフローダイアグラムである。図４に示すプロセスのうち生成送信プロセス５１、設定受付プロセス５２、及び、送信設定データ送信プロセス５３はＰＣ２で実行されるプロセスである。マージプロセス５４、ＦＡＸ送信プロセス５５、及び、中止プロセス５６はＦＡＸ装置３で実行されるプロセスである。
【００３４】
（２−１）生成送信プロセス
生成送信プロセス５１は、ＦＡＸアプリケーション２９から出力された送信対象の画像に基づいて１以上のページデータからなる本文データを生成し、生成した本文データをマージプロセス５４に出力する処理などを実行するプロセスである。
生成送信プロセス５１は生成送信処理の一例である。また、本文データはファクシミリデータの一例である。
【００３５】
実施形態１では生成送信プロセス５１の実行を開始する前に、予めＦＡＸアプリケーション２９やＦＡＸドライバプログラム３０ａに対してユーザからＦＡＸの本文データの生成に必要な生成条件の設定が入力される。生成条件としては、例えば、カラー／モノクロ、用紙サイズ、及び、解像度などが考えられる。
生成条件の入力の後にＦＡＸアプリケーション２９に対してユーザから送信指示が入力されると、ＦＡＸアプリケーション２９から送信対象の画像が出力される。
ＦＡＸアプリケーション２９から送信対象の画像が出力されると、始めに生成送信プロセス５１の実行が開始される。生成送信プロセス５１は、実行を開始すると、先ず設定受付プロセス５２に実行を指示する。以後、生成送信プロセス５１による本文データの生成及び送信と、設定受付プロセス５２による送信設定の受け付けとが並行して実行される。
以下、生成送信プロセス５１によって実行される処理について説明する。
【００３６】
（２−１−１）識別ＩＤを生成する処理
生成送信プロセス５１は、送信対象の画像を受け付けると、本文データの生成を開始する前に、ＦＡＸ装置３において本文データを一意に識別するための識別ＩＤを生成する。識別ＩＤは、複数のＰＣ２からＦＡＸ装置３に同時期に本文データが送信された場合に、ＦＡＸ装置３において各本文データと後述する送信設定データとを対応付けるためのものである。
【００３７】
識別ＩＤの生成は、他のＰＣ２で実行される生成送信プロセス５１によって生成される識別ＩＤと重複しないよう、ハッシュ関数を用いて行うとよい。なお、生成送信プロセス５１が識別ＩＤを生成するのではなく、ＦＡＸ装置３側で他のＰＣ２と重複しない識別ＩＤを一元的に生成しておき、その識別ＩＤをＦＡＸ装置３から取得する構成であってもよい。
【００３８】
（２−１−２）識別ＩＤを設定受付プロセス５２に出力する処理
生成送信プロセス５１は、識別ＩＤを生成すると、本文データの生成を開始する前に、設定受付プロセス５２にその識別ＩＤを出力する。
【００３９】
（２−１−３）本文データを生成する処理
前述したように、生成送信プロセス５１はＦＡＸアプリケーション２９から出力された送信対象の画像に基づいて本文データを生成する。
本文データのデータ形式としては、例えばＦＡＸデータの送信で一般に用いられるＭＨ圧縮形式、ＭＲ圧縮形式、ＭＭＲ圧縮形式を用いることができる。これらのデータ形式はいずれも本文データの先頭にＦＡＸ送付書データを連結することや、本文データを構成する各ページデータにヘッダーデータやフッターデータを結合することが可能である。
【００４０】
（２−１−４）本文データと識別ＩＤとをマージプロセス５４に出力する処理
実施形態１に係る生成送信プロセス５１は、本文データを構成する全てのページデータの生成が完了してからマージプロセス５４に本文データを送信するのではなく、１ページ分のページデータを生成する毎に、生成したページデータに識別ＩＤを付加してマージプロセス５４に出力する。１ページ分のページデータを生成する毎に送信するのは、ページデータの生成と送信とを並行して実行することにより、ＦＡＸ送信を効率よく行うためである。
【００４１】
（２−１−５）全ページ数を送信設定データ送信プロセス５３に出力する処理
生成送信プロセス５１は、本文データの生成が終了した後、本文データを構成するページデータの全ページ数を、設定受付プロセス５２を介して送信設定データ送信プロセス５３に出力する。送信設定データ送信プロセス５３に出力した全ページ数はＦＡＸ送付書データおよびヘッダーデータの生成に用いられる。
【００４２】
（２−１−６）本文データの生成及び送信を中止する処理
生成送信プロセス５１は、設定受付プロセス５２から中止命令が出力されると、本文データの生成及び送信を中止する。
（２−２）設定受付プロセス
設定受付プロセス５２は、ＦＡＸデータの送信設定をユーザ１０から受け付け、受け付けた送信設定を送信設定データ送信プロセス５３に出力する処理などを実行するプロセスである。設定受付プロセス５２は設定受付処理の一例である。
ここで送信設定とは、具体的には例えばＦＡＸデータの送信先の電話番号、ＦＡＸデータに添付するＦＡＸ送付書を生成するための送付書情報など、本文データの生成に必要な生成条件とは異なるが、ＦＡＸデータの送信に必要なデータである。ＦＡＸデータの送信先の電話番号は宛先の一例であり、送付書情報は送付書の生成に用いられる情報の一例である。
以下、設定受付プロセス５２によって実行される処理について説明する。
【００４３】
（２−２−１）送信先の電話番号の設定を受け付ける処理
図５は、設定受付プロセス５２によって表示される送信設定画面６１を示す模式図である。送信設定画面６１において、ユーザ１０は以下の（ａ）〜（ｃ）の方法で電話番号を設定することができる。
【００４４】
（ａ）番号ボタン６１ａをクリックすることによって送信先のＦＡＸ装置７の電話番号を直接入力する。ユーザ１０は１以上の電話番号を入力することができ、入力した電話番号は送信先欄６１ｄに表示される。
【００４５】
（ｂ）ワンタッチダイヤルとして表示される短縮番号６１ｂをクリックすることにより、各短縮番号６１ｂに対応付けられている電話番号を指定する。ユーザ１０は１以上の短縮番号６１ｂをクリックすることができ、クリックした短縮番号６１ｂに対応付けられている名称あるいは電話番号そのものが送信先欄６１ｄに表示される。
【００４６】
（ｃ）アドレス帳ボタン６１ｃをクリックすることによって表示されるアドレス帳画面６２（図６参照）で送信先を選択する。
図６は、上述したアドレス帳画面６２の一例を示す模式図である。図中に示す「メンバー」はＦＡＸ送信の送信先を示すものであり、各メンバーにはそのメンバー宛てにＦＡＸ送信する場合の電話番号が関連付けられている。
【００４７】
アドレス帳画面６２において選択可能メンバー欄６２ａは予め登録されているメンバーが一覧表示される欄であり、選択済みメンバー欄６２ｂは送信先として選択されたメンバーが一覧表示される欄である。ユーザ１０は選択可能メンバー欄６２ａに表示されているメンバーをマウスで選択して［追加］ボタン６２ｃをクリックすることにより、選択したメンバーを選択済みメンバー欄６２ｂに移動させることができる。
ユーザ１０はアドレス帳画面６２において１以上のメンバーを選択することができ、選択したメンバーあるいは電話番号そのものが送信先欄６１ｄに表示される。
【００４８】
（２−２−２）送付書情報の設定を受け付ける処理
図５に戻り、ユーザ１０は送信設定画面６１の送信先欄６１ｄに表示されている送信先をマウスで選択し、送信先を選択した状態で［送付書使用］ボタン６１ｅをクリックすることにより、選択した送信先にＦＡＸ送信するＦＡＸデータに添付するＦＡＸ送付書の生成に用いられる送付書情報を設定するための送付書設定画面６３（図７参照）を表示させることができる。
【００４９】
図７は、送付書設定画面６３の一例を示す模式図である。送付書設定画面６３において送信先に関する各項目、及び、送信元に関する各項目の左にあるチェックボックス６３ａをオンにするとその項目に表記する内容を入力するための入力欄が入力可能になり、ユーザ１０は入力可能になった入力欄にその項目に表記したい内容を入力できる。
また、送付書設定画面６３において、ユーザ１０はチェックボックス６３ｂをチェックすることにより、ＦＡＸ送付書に全ページ数を表記するよう設定することもできる。
【００５０】
また、ユーザ１０は送付書設定画面６３において［プレビュー］ボタン６３ｃをクリックすることにより、送付書プレビュー画面６４を表示させることができる。
図８は、図７に示す送付書設定画面６３の例のように送付書情報が設定されている状態で［プレビュー］ボタン６３ｃがクリックされた場合に表示される送付書プレビュー画面６４の一例を示す模式図である。図示するように送付書プレビュー画面６４には実際に送信されるＦＡＸ送付書がプレビュー表示され、ユーザ１０はＦＡＸ送信前にＦＡＸ送付書の内容を確認できる。なお、送付書プレビュー画面６４の送付枚数の表示欄には、生成送信プロセス５１から受信した全ページ数が表示される。また、全ページ数を生成送信プロセス５１から出力される前に［プレビュー］ボタン６３ｃがクリックされた場合、「送信時はページ数が入ります。」等のバルーンヘルプなどを表示するように構成してもよい。
【００５１】
（２−２−３）送信設定及び識別ＩＤを出力する処理
図５に戻り、送信設定画面６１でユーザ１０が送信ボタン６１ｆをクリックすると、設定受付プロセス５２は設定された電話番号、各電話番号に対応する送付書情報、及び、送信設定画面６１や送付書設定画面６３で設定されたその他各種の設定情報を送信設定として送信設定データ送信プロセス５３に出力する。
このとき、設定受付プロセス５２は、図４に示すように、生成送信プロセス５１から出力された識別ＩＤと全ページ数とを送信設定とともに送信設定データ送信プロセス５３に出力する。
【００５２】
（２−２−４）ＦＡＸ送信の中止を受け付ける処理
ユーザ１０は送信設定画面６１で中止ボタン６１ｇをクリックすることにより、ＦＡＸ送信を中止することができる。
前述したように設定受付プロセス５２は生成送信プロセス５１と並行して実行可能である。このため、設定受付プロセス５２は、中止ボタン６１ｇがクリックされると、生成送信プロセス５１での本文データの生成及び送信が実行されている場合は、それらを中止させるために、図４に示すように、生成送信プロセス５１に中止命令を出力する。
【００５３】
また、中止ボタン６１ｇがクリックされた時点で既に一部または全てのページデータが生成送信プロセス５１からＦＡＸ装置３に送信されてしまっている場合もあり得る。このため、設定受付プロセス５２は、中止ボタン６１ｇがクリックされると、ＦＡＸ装置３側において受信済みのページデータを削除するために、図４に示すように、中止プロセス５６に中止命令と識別ＩＤとを出力する。
【００５４】
なお、設定受付プロセス５２は、中止プロセス５６にのみ中止命令を出力し、生成送信プロセス５１には中止命令を出力しないようにしてもよい。その場合は中止ボタン６１ｇがクリックされても生成送信プロセス５１からＦＡＸ装置３に継続してページデータが出力され、ＦＡＸ装置３において中止プロセス５６によって削除されることになる。
【００５５】
設定受付プロセス５２がユーザ１０から中止ボタン６１ｇのクリックを受け付ける処理は中止指示を受け付ける中止受付処理の一例である。また、設定受付プロセス５２が中止プロセス５６に中止命令を出力する処理は中止処理の一例である。
【００５６】
（２−３）送信設定データ送信プロセス
図４に戻り、送信設定データ送信プロセス５３は、設定受付プロセス５２から出力された送信設定に含まれている１以上の電話番号に基づいて電話番号リストを生成する。更に、送信設定データ送信プロセス５３は、送信設定に含まれている送付書情報と設定受付プロセス５２から出力された全ページ数とに基づいて電話番号毎にＦＡＸ送付書データを生成する。更に、送信設定データ送信プロセス５３は、全ページ数を用いてページデータ毎にそのページデータに付加するヘッダーデータを生成する。
そして、送信設定データ送信プロセス５３は、電話番号リストと、電話番号毎のＦＡＸ送付書データと、ページデータ毎のヘッダーデータとを含む送信設定データに設定受付プロセス５２から出力された識別ＩＤを付加してマージプロセス５４に出力する。送信設定データ送信プロセス５３は送信設定データ送信処理の一例である。
【００５７】
実施形態１に係る送信設定データ送信プロセス５３は、少なくとも生成送信プロセス５１において全てのページデータの生成が終了した後に実行が開始される。その理由は、ＦＡＸ送付書やヘッダーに表記する全ページ数は全てのページデータの生成が終了するまで判らないからである。なお、ＦＡＸ送付書やヘッダーに全ページ数を表記しない設定がされている場合は全てのページデータの生成が終了する前に送信設定データ送信プロセス５３を開始してもよい。
【００５８】
（２−４）マージプロセス
マージプロセス５４は、生成送信プロセス５１から出力された本文データと、送信設定データ送信プロセス５３から出力された送信設定データとをそれぞれに付加された識別ＩＤによって識別する。そして、マージプロセス５４は、対応する本文データと送信設定データとをマージすることによって電話番号毎のＦＡＸデータを生成し、電話番号毎に電話番号とその電話番号用のＦＡＸデータとをＦＡＸ送信プロセス５５に出力する。
【００５９】
図９は、マージプロセス５４によるマージを概念的に説明するための模式図である。マージプロセス５４は、先ず、送信設定データに含まれている各ヘッダーデータをそれぞれ対応するページデータに結合する。図９に示すようにヘッダーデータが表すヘッダー７１にはそのヘッダー７１に対応するページデータのページ番号と全ページ数とが表記される。図示する例では全ページ数として「５」が表記されている。
【００６０】
次に、マージプロセス５４は、送信設定データに含まれる電話番号リストから電話番号を一つ選択し、その電話番号に対応するＦＡＸ送付書データを本文データの先頭に連結する。これにより、選択した電話番号用のＦＡＸデータが生成される。
次に、マージプロセス５４は、ＦＡＸ送信プロセス５５がＦＡＸデータを送信中であればその送信が終了するまで待機し、ＦＡＸ送信プロセス５５がＦＡＸデータを送信中でなければ選択した電話番号とその電話番号用のＦＡＸデータとをＦＡＸ送信プロセス５５に出力する。
マージプロセス５４は上述した処理を電話番号リストにある全ての電話番号の選択が終了するまで繰り返す。
【００６１】
（２−５）ＦＡＸ送信プロセス
図４に戻り、ＦＡＸ送信プロセス５５は、マージプロセス５４から電話番号とその電話番号用のＦＡＸデータとが出力される毎に、ＦＡＸ部３５を制御してそのＦＡＸデータをその電話番号にＦＡＸ送信するプロセスである。
【００６２】
（２−６）中止プロセス
中止プロセス５６は、設定受付プロセス５２から中止命令が出力された場合に、その中止命令とともに出力された識別ＩＤと同じ識別ＩＤが付加されているページデータを記憶部３７から削除するプロセスである。
【００６３】
（３）ＰＣ−ＦＡＸシステムの処理
ＰＣ−ＦＡＸシステム１において実行されるプログラムには、ＰＣ２において実行されるＰＣ側制御プログラム３０と、ＦＡＸ装置３において実行されるＦＡＸ装置側制御プログラム４０とがある。
【００６４】
図２に示すように、ＰＣ側制御プログラム３０は、生成送信プログラムとしてのＦＡＸドライバプログラム３０ａと、設定受付プログラムとしての送信設定プログラム３０ｂとで構成されている。ＦＡＸドライバプログラム３０ａはＰＣ２において生成条件を設定したり、生成送信プロセス５１を実行するためのプログラムである。送信設定プログラム３０ｂはＰＣ２において設定受付プロセス５２、及び、送信設定データ送信プロセス５３を実行するためのプログラムである。
【００６５】
ＦＡＸ装置側制御プログラム４０は、ＦＡＸ装置３においてマージプロセス５４、ＦＡＸ送信プロセス５５、及び、中止プロセス５６を実行するためのプログラムである。
以下、各プログラムによる処理について説明する。
【００６６】
（３−１）ＦＡＸドライバプログラム
図１０は、ＦＡＸドライバプログラム３０ａを実行するＣＰＵ２１（以下、単に「ＦＡＸドライバ３０ａ」という）によって実行される処理の流れを示すフローチャートである。本処理は、ＦＡＸアプリケーション２９からＦＡＸドライバ３０ａに送信対象の画像が出力されると開始される。
【００６７】
Ｓ１０１では、ＦＡＸドライバ３０ａは送信設定プログラム３０ｂを起動する。
Ｓ１０２では、ＦＡＸドライバ３０ａは本文データを識別するための識別ＩＤを生成し、生成した識別ＩＤを送信設定プログラム３０ｂに送信する。
Ｓ１０３では、ＦＡＸドライバ３０ａはＦＡＸアプリケーション２９から出力された送信対象の画像から１ページ分の画像を取得し、取得した画像を表す１ページ分のページデータを生成する。
【００６８】
Ｓ１０４では、ＦＡＸドライバ３０ａは生成した１ページ分のページデータにＳ１０２で生成した識別ＩＤを付加してＦＡＸ装置３に送信する。
Ｓ１０５では、ＦＡＸドライバ３０ａはＦＡＸアプリケーション２９から出力された送信対象の画像に含まれる全ての画像についてページデータの送信が終了したか否かを判定し、終了した場合はＳ１０６に進み、終了していない場合はＳ１０３に戻って処理を繰り返す。
Ｓ１０６では、ＦＡＸドライバ３０ａは本文データを構成するページデータの全ページ数を送信設定プログラム３０ｂに送信する。
【００６９】
（３−２）送信設定プログラム
図１１は、送信設定プログラム３０ｂを実行するＣＰＵ２１（以下、単に「送信設定プログラム３０ｂ」という）によって実行される処理の流れを示すフローチャートである。本処理は、ＦＡＸドライバプログラム３０ａによって送信設定プログラム３０ｂが起動されることによって開始される。
【００７０】
Ｓ２０１では、送信設定プログラム３０ｂはＦＡＸドライバ３０ａから識別ＩＤを受信する。
Ｓ２０２では、送信設定プログラム３０ｂはユーザ１０による送信設定を受け付ける。
Ｓ２０３では、送信設定プログラム３０ｂはＦＡＸドライバから全ページ数を受信したか否かを判定し、全ページ数を受信した場合はＳ２０４に進み、受信していない場合は受信するまで待機する。
【００７１】
Ｓ２０４では、送信設定プログラム３０ｂは送信設定と全ページ数とに基づいて送信設定データを生成する。
Ｓ２０５では、送信設定プログラム３０ｂは送信ボタン６１ｆ又は中止ボタン６１ｇがクリックされたか否かを判定し、送信ボタン６１ｆがクリックされた場合はＳ２０６に進み、中止ボタン６１ｇがクリックされた場合はＳ２０７に進む。
【００７２】
Ｓ２０６では、送信設定プログラム３０ｂは送信設定データにＳ２０１で受信した識別ＩＤを付加してＦＡＸ装置３に送信する。
Ｓ２０７では、送信設定プログラム３０ｂはＦＡＸ装置３に中止命令とＳ２０１で受信した識別ＩＤとを送信する。
【００７３】
（３−３）ＦＡＸ装置側制御プログラム
図１２は、ＦＡＸ装置側制御プログラム４０を実行するＣＰＵ３１ａ（以下、単に「制御プログラム４０」という）によって実行される処理の流れを示すフローチャートである。本処理はＦＡＸ装置３に電源が投入されている間、常に実行される。
【００７４】
Ｓ３０１では、制御プログラム４０はＰＣ２から本文データを受信したか否かを判定する。
具体的には、ＦＡＸドライバプログラム３０ａはＦＡＸ装置３に全てのページデータを送信すると本文データの送信が完了したことを示すデータをＦＡＸ装置３に送信する。ＦＡＸ制御プログラム４０は本文データの送信が完了したことを示すデータをＰＣ２から受信したか否かを判定し、受信した場合はＳ３０２に進み、受信していない場合は受信するまで本ステップを繰り返す。
【００７５】
Ｓ３０２では、制御プログラム４０はＰＣ２から中止命令を受信したか否かを判定し、受信していない場合はＳ３０３に進み、受信した場合はＳ３１１に進む。
Ｓ３０３では、制御プログラム４０は本文データに付加されている識別ＩＤと同じ識別ＩＤが付加されている送信設定データを受信したか否かを判定し、受信した場合はＳ３０４に進み、受信していない場合はＳ３０２に戻って中止命令を受信するか又は同じ識別ＩＤが付加されている送信設定データを受信するまで処理を繰り返す。
【００７６】
Ｓ３０４では、制御プログラム４０は受信した送信設定データに含まれている各ヘッダーデータを本文データの対応するページデータにマージすることにより、ヘッダーデータ付きのＦＡＸデータを生成する。
Ｓ３０５では、制御プログラム４０は受信した送信設定データに含まれている電話番号リストから電話番号を一つ選択する。
Ｓ３０６では、制御プログラム４０はヘッダーデータ付きの本文データの先頭に、受信した送信設定データに含まれているＦＡＸ送付書データであってＳ３０５で選択した電話番号に対応するＦＡＸ送付書データをマージすることにより、Ｓ３０５で選択した電話番号用のＦＡＸデータを生成する。
【００７７】
Ｓ３０７では、制御プログラム４０は、ＦＡＸ部３５を制御して、Ｓ３０６で生成したＦＡＸデータを、Ｓ３０５で選択した電話番号のＦＡＸ装置７に宛ててＦＡＸ送信を開始する。ここでは、Ｓ３０５で選択した電話番号用のＦＡＸデータの全ての送信が完了するまで送信を続ける。
Ｓ３０８では、制御プログラム４０は、図９に示すように、Ｓ３０５で選択した電話番号のステータスを送信済みに変更する。
【００７８】
Ｓ３０９では、制御プログラム４０は電話番号リストにある電話番号を全て選択したか否かを判定し、全て選択した場合はＳ３１０に進み、未だ選択していない電話番号がある場合はＳ３０５に戻って処理を繰り返す。
Ｓ３１０では、制御プログラム４０は本文データと送信設定データとを記憶部３７から削除してＳ３０１に戻る。
【００７９】
Ｓ３１１では、制御プログラム４０は中止命令とともに受信した識別ＩＤが付加されている全てのページデータを記憶部３７から削除する。
【００８０】
（４）実施形態の効果
以上説明した実施形態１に係るＰＣ側制御プログラム３０によると、生成送信プロセス５１の実行中に設定受付プロセス５２の処理を開始するので、生成送信プロセス５１の処理の少なくとも一部と設定受付プロセス５２の処理の少なくとも一部とを並行して実行できる。
より具体的には、設定受付プロセス５２でユーザから電話番号や送付書を生成するための情報の設定を受け付けている間に、生成送信プロセス５１でページデータを生成して送信を開始することができる。設定受付プロセス５２で受け付けた送信設定から送信設定データを生成して送信するのは、複数のページデータを生成するよりは早く完了することができる。結果として、設定受付プロセス５２が完了した後速やかに、送信設定データと本文データとがマージされ、ＦＡＸの送信を行うことができる。
以上のように、実施形態１に係るＰＣ側制御プログラム３０によると、設定受付プロセス５２が終了してから生成送信プロセス５１を開始する場合、あるいは生成送信プロセス５１が終了してから設定受付プロセス５２を開始する場合に比べ、ＦＡＸ装置３が外部のＦＡＸ装置７にＦＡＸデータを送信し始める時を早めることができる。
【００８１】
更に、ＰＣ側制御プログラム３０によると、送信設定はＦＡＸデータの宛先であり、送信設定データは宛先を示す宛先データであるので、生成送信プロセス５１の少なくとも一部を、ＦＡＸデータの宛先の設定を受け付ける処理と並行して実行できる。
【００８２】
更に、ＰＣ側制御プログラム３０によると、設定受付プロセス５２において、ＦＡＸデータに対して複数の宛先の設定を受け付ける。複数の宛先を設定する場合は１つの宛先のみを設定する場合に比べて時間を要する。ＰＣ側制御プログラム３０によると、生成送信プロセス５１の少なくとも一部の処理を複数の宛先の設定を受け付ける処理と並行して実行するので、ＦＡＸ装置３がＦＡＸデータの送信を開始する時を早める効果がより大きくなる。
【００８３】
更に、ＰＣ側制御プログラム３０によると、送信設定はＦＡＸデータに添付するＦＡＸ送付書の生成に用いられる情報であり、送信設定データは当該情報に基づいて生成されたＦＡＸ送付書データであるので、生成送信プロセス５１の少なくとも一部の処理を、ＦＡＸデータに添付するＦＡＸ送付書の生成に用いられる情報の設定を受け付ける処理と並行して実行できる。
【００８４】
更に、ＰＣ側制御プログラム３０によるとＦＡＸデータの全ページ数が記されているＦＡＸ送付書を表すＦＡＸ送付書データを生成できる。
【００８５】
更に、ＰＣ側制御プログラム３０によると、生成送信プロセス５１において、ＦＡＸデータと当該ＦＡＸデータを一意に識別する識別ＩＤとをＦＡＸ装置３に送信し、送信設定データ送信プロセス５３において、送信設定データと識別ＩＤとをＦＡＸ装置３に送信する。これにより、複数のＰＣ２が同じＦＡＸ装置３にＦＡＸデータと送信設定データとを送信しても、ＦＡＸ装置３側で識別ＩＤを参照してＦＡＸデータと送信設定データとを対応付けることにより、あるＰＣ２から送信されたＦＡＸデータが別のＰＣ２から送信された送信設定データを用いて送信されてしまわないようにすることができる。
【００８６】
更に、ＰＣ側制御プログラム３０によると、設定受付プロセス５２によって中止指示が受け付けられると、ＦＡＸ装置３にＦＡＸ送信の中止命令を送信するので、ＦＡＸ装置３に不要なページデータが残ってしまわないようにすることができる。
【００８７】
また、実施形態１に係るＰＣ２によると、ＦＡＸ装置３が外部のＦＡＸ装置７にＦＡＸデータを送信し始める時を早めることができる。
【００８８】
＜他の実施形態＞
本発明は上記記述及び図面によって説明した実施形態に限定されるものではなく、例えば次のような実施形態も本発明の技術的範囲に含まれる。
【００８９】
（１）上記実施形態では生成送信プロセス５１を先に開始し、生成送信プロセス５１が終了する前に設定受付プロセス５２を開始する場合を例に説明したが、設定受付プロセス５２と生成送信プロセス５１とをほぼ同時に開始してもよいし、設定受付プロセス５２を先に開始し、設定受付プロセス５２が終了する前に生成送信プロセス５１を開始してもよい。
【００９０】
また、設定受付プロセス５２において生成送信プロセス５１と並行して実行される処理は、例えば「電話番号の設定を受け付ける処理」であってもよいし、「送付書情報の設定を受け付ける処理」であってもよい。
例えば、設定受付プロセス５２において「電話番号の設定を受け付ける処理」が終了した後に生成送信プロセス５１の実行を開始し、生成送信プロセス５１と「送付書情報の設定を受け付ける処理」とを並行して実行してもよい。また、設定受付プロセス５２において「送付書情報の設定を受け付ける処理」が終了した後に生成送信プロセス５１の実行を開始し、生成送信プロセス５１と「電話番号の設定を受け付ける処理」とを並行して実行してもよい。
【００９１】
（２）上記実施形態では送信設定データ送信プロセス５３からＦＡＸ装置３にＦＡＸ送付書データを送信しているが、ＦＡＸ送付書データを送信するのではなく、ＦＡＸ送付書を生成するための送付書情報を生成し、ＦＡＸ装置３側で送付書情報に基づいてＦＡＸ送付書データを生成する構成であってもよい。
【００９２】
（３）上記実施形態では情報処理装置としてパーソナルコンピュータを例に説明したが、情報処理装置は携帯電話であってもよいし、携帯情報端末であってもよい。
【００９３】
（４）上記実施形態ではＦＡＸ装置としてＦＡＸ機能のみを備えるＦＡＸ装置３を例に説明したが、ＦＡＸ装置はプリント機能、コピー機能、スキャナ機能等を備える複合機であってもよい。
【００９４】
（５）上記実施形態ではＰＣ２とＦＡＸ装置３とが通信ネットワーク４を介して接続されていたが、これに限られず、ＵＳＢ（Ｕｎｉｖｅｒｓａｌ  Ｓｅｒｉａｌ  Ｂｕｓ）接続やパラレル接続など、ＰＣ２とＦＡＸ装置３とが１対１で接続されるようなシステムにおいても適用可能である。この場合、必ずしも識別ＩＤを送信しなくてもよい。
【００９５】
（６）上記実施形態では、送付書プレビュー画面６４で送付枚数を表示する構成であったため、全ページ数は生成送信プロセス５１から設定受付プロセス５２に受け渡されていたが、これに限られず、送付書プレビュー画面６４で送付枚数を表示しなくてもよい。よって、全ページ数は生成送信プロセス５１から送信設定データ送信プロセス５３に出力されるように構成してもよい。
【符号の説明】
【００９６】
１・・・ＰＣ−ＦＡＸシステム、２・・・ＰＣ、３・・・ＦＡＸ装置、１０・・・ユーザ、３０・・・ＰＣ側制御プログラム、３０ａ・・・ＦＡＸドライバプログラム、３０ｂ・・・送信設定プログラム、４０・・・ＦＡＸ装置側制御プログラム、５１・・・設定受付プロセス、５２・・・生成送信プロセス、５３・・・送信設定データ送信プロセス、５４・・・マージプロセス、５５・・・送信プロセス、５６・・・中止プロセス
【図１】
2013012844.tif 000003
【図２】
2013012844.tif 000004
【図３】
2013012844.tif 000005
【図４】
2013012844.tif 000006
【図５】
2013012844.tif 000007
【図６】
2013012844.tif 000008
【図７】
2013012844.tif 000009
【図８】
2013012844.tif 000010
【図９】
2013012844.tif 000011
【図１０】
2013012844.tif 000012
【図１１】
2013012844.tif 000013
【図１２】
2013012844.tif 000014